(57)【要約】【課題】延伸によるフィルムの把持緩みを抑える【解決手段】テンター装置４は、右レール１１、左レール１２、これらレール１１，１２に案内される無端チェーン１３，１４を備える。無端チェーン１３，１４には、クリップ１５が所定ピッチで多数取り付けられる。クリップ１５は、フレーム２５、フラッパ２６、レール取付部２７から構成される。レール１１、１２のレール屈曲位置ＰＣ、ＰＤに、クリップクローザ３５を設ける。クリップクローザ３５は、フレーム３６、リニアプッシュハウジングユニット３７、バネ３８、シャフト３９、ストッパ４０、クローザ本体４１から構成される。クローザ本体４１は、レール屈曲位置ＰＣ、ＰＤでクリップ１５の係合頭部２６ａに接触してこれを閉じる方向に力を加える。【選択図】　　　　　　　　図５
2004106422.tif 000002
【特許請求の範囲】
【請求項１】
第１レール及び第２レールに沿って、開閉自在な把持具により両側縁部が把持されたシート状物を搬送して延伸するテンター装置において、前記把持具の把持開始位置から把持開放位置までの範囲に設けられ、把持具を閉じる方向に力を加える把持力加勢手段を有することを特徴とするテンター装置。
【請求項２】
前記第１レール及び第２レールを複数の延伸を行う複数の延伸エリアから構成し、前記把持力加勢手段を前記複数の延伸エリアの少なくとも１つの延伸エリアに設けたことを特徴とする請求項１記載のテンター装置。
【請求項３】
前記第１レール及び第２レールを直線部と円弧状に湾曲する屈曲部とから構成し、前記把持力加勢手段を前記屈曲部の前後に設けたことを特徴とする請求項１または２記載のテンター装置。
【請求項４】
前記シート状物は、液処理されたフィルムであることを特徴とする請求項１ないし３いずれか１つ記載のテンター装置。
【請求項５】
熱処理をする前の位置に前記把持力加勢手段を設けたことを特徴とする請求項１ないし４いずれか１つ記載のテンター装置。
【発明の詳細な説明】
【０００１】
【発明の属する技術分野】
本発明はテンター装置に関し、特に延伸によるフィルムの把持緩みを抑えるように改良したテンター装置に関するものである。
【０００２】
【従来の技術】
【特許文献１】
特開２００２−８６５５４号公報
【０００３】
近年、液晶表示装置の普及に伴い偏光板の需要が急増している。この偏光板を作製するテンター装置では、左右のガイドレールに沿って同一速度で走行するクリップにより、フィルムの側縁部を把持させて移動させながら予熱し、予熱後に幅方向に延伸させている。偏光板用のフィルムは軽量化などの要請により薄いフィルムが要求されており、これに伴いフィルム剛性が小さいフィルムの横延伸が必要になってきている。
【０００４】
【発明が解決しようとする課題】
一般には、偏光板用のフィルムは、染色、硬膜等の液処理後に延伸されるが、フィルム剛性が小さいフィルムの場合には、クリップによって噛み込まれた部分の周辺のフィルムが延伸により薄くなる。そのため、クリップによるフィルム把持力が減少し、延伸中または延伸後に、フィルムがクリップから抜けてしまうことがあった。特に、特許文献１のような斜めに延伸させるテンター装置では、左右のガイドレールは屈曲しており、その屈曲部では、フィルムが斜め方向に引っ張られるため、クリップ内でスリップしてしまい、クリップから抜けてしまうことがあった。また、多段延伸の場合においても、その変化点にてクリップから抜けてしまうことがあった。
【０００５】
本発明は上記課題を解決するためのものであり、延伸による把持具のフィルム把持緩みを抑えるようにしたテンター装置を提供することを目的とする。
【０００６】
【課題を解決するための手段】
上記目的を達成するために、本発明のテンター装置は、第１レール及び第２レールに沿って、開閉自在な把持具により両側縁部が把持されたシート状物を搬送して延伸するテンター装置において、前記把持具の把持開始位置から把持開放位置までの範囲に設けられ、把持具を閉じる方向に力を加える把持力加勢手段を有するものである。なお、前記第１レール及び第２レールを複数の延伸を行う複数の延伸エリアから構成した場合には、前記把持力加勢手段を複数の延伸エリアの少なくとも１つの延伸エリアに設けることが好ましい。また、前記第１レール及び第２レールを直線部と円弧状に湾曲する屈曲部とから構成した場合には、前記把持力加勢手段を前記屈曲部の前後に設けることが好ましい。さらに、前記シート状物は、液処理されたフィルムであることが好ましい。また、熱処理をする前の位置に前記把持力加勢手段を設けることが好ましい。
【０００７】
【発明の実施の形態】
本発明によれば、液槽処理され湿潤したフィルムを延伸するテンターに安定的に導入することができるが、以下は、偏光板作製に際し、特に、得率の良いとされる斜め延伸、より好ましくは４５°延伸の態様について説明する。なお、テンターとして一般的な一軸延伸、二軸延伸、多段延伸でも効果的である。図１は、本発明を実施したＰＶＡフィルム延伸機２を示す概略の平面図である。ＰＶＡフィルム延伸機２は、処理装置３とテンター装置４とから構成される。処理装置３には、ＰＶＡ（ポリビニルアルコール）フィルム６の搬送方向上流側（図中左側）から順に、洗浄槽７、染色槽８、硬膜槽９が設けられている。洗浄槽７には洗浄液が、染色槽８には沃素等の染色剤の水溶液が、硬膜槽９には硼酸等の硬膜剤の水溶液が所定量貯留されており、入口１０から挿入され、図示しない搬送機構により各槽７〜９を搬送されるＰＶＡフィルム６を洗浄、染色、硬膜処理する。各槽７〜９で表面処理されたＰＶＡフィルム６は、湿潤な状態でテンター装置４に搬送される。なお、処理装置３を洗浄槽７、染色槽８、硬膜処理槽９の３槽によって構成したが、必要に応じて着色槽等の新たな槽を追加してもよい。また、染色槽、硬膜槽を１槽に統合すること等により槽数を減らすことも可能である。
【０００８】
図１に示すように、テンター装置４は、右レール１１と、左レール１２と、これらレール１１，１２に案内される無端チェーン（エンドレスチェーン）１３，１４とから構成されている。無端チェーン１３，１４には、把持具としてのクリップ１５が所定ピッチで多数取り付けられている。このクリップ１５はＰＶＡフィルム６の側縁部を把持しながら、各レール１１，１２に沿って移動することで、ＰＶＡフィルム６を延伸する。
【０００９】
無端チェーン１３，１４は原動スプロケット１７，１８及び従動スプロケット１９，２０との間に掛け渡されており、これらスプロケット１７〜２０の間では、無端チェーン１３は右レール１１によって、無端チェーン１４は左レール１２によって案内される。原動スプロケット１７，１８はテンター入口２１側に設けられており、これらは図示しない駆動機構により回転駆動される。また、従動スプロケット１９，２０はテンター出口２２側に設けられている。
【００１０】
テンター装置４は、予熱部４ａ、延伸部４ｂ、熱処理部４ｃに分かれており、予熱部４ａ、延伸部４ｂはＰＶＡフィルム６を延伸しやすくするために高温、高湿に保たれている。
【００１１】
図２に示すように、クリップ１５は、略コ字形状のフレーム２５、フラッパ２６、レール取付部２７から構成されている。フラッパ２６は、取付軸２５ａによりフレーム２５に回動自在に取り付けられている。レール取付部２７には、右チェーン１３または左チェーン１４が取り付けられる。図２は把持開始直前の状態を、図３は把持直後の状態をそれぞれ示している。フラッパ２６は鉛直状態となるフィルム把持位置（閉位置）と、開放部材２８に係合頭部２６ａが接触して斜めに回転した状態となる開放位置との間で変位し、通常は自重によりフィルム把持位置となるように付勢されている。フィルム把持位置ＰＡでは、フィルム把持面２５ｂとフラッパ下面２６ｂとによりＰＶＡフィルム６が把持される。搬送ローラ２９は、図示しないモータにより回転駆動され、フィルム搬送方向Ａ１に沿ってＰＶＡフィルム６をフィルム把持位置ＰＡに搬送する。
【００１２】
レール取付部２７は、取付フレーム３０と、ガイドローラ３１，３２，３３とから構成されている。取付フレーム３０には、右チェーン１３または左チェーン１４が取り付けられる。ガイドローラ３１〜３３は、図２に示すように原動スプロケット１７，１８の各支持面に接触するか、図３に示すように右レール１１または左レール１２の支持面に接触するかして、回転する。これにより、各スプロケット１７，１８や各レール１１，１２からクリップ１５が脱落することなく、各レール１１，１２に沿って案内される。
【００１３】
スプロケット１７〜２０に近接して、図２及び図４に示すように、クリップ１５の開放部材２８が配置されている。この開放部材２８は、テンター入口２１側の原動スプロケット１７，１８では、フィルム把持位置ＰＡの前で、クリップ１５の係合頭部２６ａに接触してこれを開放状態にし、ＰＶＡフィルム６の側縁部の受け入れを可能にする。そして、フィルム把持位置ＰＡを通過するときに開放部材２８が前記係合頭部２６ａから離れ、クリップ１５が開放位置から把持位置にセットされて、ＰＶＡフィルム６の側縁部が把持される。同様にして、テンター出口２２側の従動スプロケット１９，２０では、フィルム把持解除位置ＰＢで開放部材２８によりクリップ１５が開放位置にされて、ＰＶＡフィルム６の側縁部の把持が開放される。
【００１４】
図４及び図５に示すように、レール１１、１２のレール屈曲位置ＰＣ、ＰＤ（図１参照）には、クリップ１５のフィルム把持力を回復させるために、クリップクローザ３５が配置されている。クリップクローザ３５は、フレーム３６、リニアブッシュハウジングユニット３７、バネ３８、シャフト３９、ストッパ４０、クローザ本体４１から構成される。
【００１５】
シャフト３９は、フレーム３６に左右に移動自在に取り付けられており、リニアブッシュハウジングユニット３７により固定され、バネ３８により外側方向へ付勢されている。バネ３８は、ストッパ４０により取り付けられており、ストッパ４０の位置を変更することにより、バネ３８の荷重を変更することができる。リニアブッシュハウジングユニット３７は、シャフト３９の固定位置を変更することができる。クローザ本体４１は、シャフト３９に取り付けられており、屈曲部４１ａは、レール１１、１２のレール屈曲位置ＰＣ、ＰＤの屈曲形状に応じて、屈曲した形状となっている。なお、リニアブッシュハウジングユニット３７は、シャフト３９を固定することができ、その固定位置を変更可能な形態のものであればよい。
【００１６】
クローザ本体４１は、レール屈曲位置ＰＣ、ＰＤでクリップ１５の係合頭部２６ａに接触してこれを閉じる方向に力を加える。レール１１に沿って移動するクリップ１５の場合には、フラッパ２６を時計方向に回転させ、レール１２に沿って移動するクリップ１５の場合には、フラッパ２６を反時計方向に回転させ、それぞれクリップ１５のフィルム把持力を増加させる。
【００１７】
クローザ本体４１は、フィルム搬送方向Ａ１の上流側にテーパ部４１ｂが形成されており、このテーパ部４１ｂは、係合頭部２６ａを案内する。クリップ１５のフィルム把持力に応じて、リニアブッシュハウジングユニット３７によりシャフト３９を移動させ、固定する位置を決定する。また、クローザ本体４１は、係合頭部２６ａとの接触抵抗を小さく抑えるために、樹脂製のものが好ましく用いられる。樹脂としては、ナイロン、デルリン等が用いられる。
【００１８】
次に、本実施形態の作用を説明する。入口１０から挿入されたＰＶＡフィルム６は、処理装置３の洗浄槽７に搬送される。図示しない搬送機構により洗浄槽７、染色槽８、硬膜槽９を搬送されるＰＶＡフィルム６は洗浄、染色、硬膜処理される。各槽７〜９で表面処理されたＰＶＡフィルム６は、テンター装置４に搬送される。
【００１９】
テンター装置４に搬送されたＰＶＡフィルム６は、搬送ローラ２９によりフィルム把持位置ＰＡに搬送される。なお、テンター入口２１にはＰＶＡフィルム６に幅方向への張力を与える張力ローラ対を、フィルム把持位置ＰＡ直前にはＰＶＡフィルム６の上方向への変形を抑える上ガイドローラを、それぞれ設けてもよい。また、テンター入口２１からフィルム把持位置ＰＡの範囲に、ＰＶＡフィルム６の両側縁部を案内する左右のフィルムガイドを設けてもよい。
【００２０】
クリップ１５は、テンター入り口２１では開放部材２８により開放状態になっており、ＰＶＡフィルム６がフィルム把持位置ＰＡでクリップ１５内に入ると、クリップ１５が閉じられて、ＰＶＡフィルム６が把持される。クリップ１５は、ＰＶＡフィルム６の側縁部を把持しながら、各チェーン１３，１４の回動により、レール１１，１２に沿って移動し、ＰＶＡフィルム６を延伸する。予熱部４ａ、延伸部４ｂはＰＶＡフィルム６を延伸しやすくするために高温、高湿に保たれている。
【００２１】
レール１１、１２のレール屈曲位置ＰＣ、ＰＤには、クリップクローザ３５が配置されており、リニアブッシュハウジングユニット３７により位置決めされたクローザ本体４１は、クリップ１５の係合頭部２６ａに接触してこれを閉じる方向に力を加えることで、クリップ１５の減少したフィルム把持力を、クリップクローザー３５により回復させる。これにより、ＰＶＡフィルム６がクリップ１５から抜けることがない。クリップクローザー３５は、ストッパ４０の位置を変更することにより、バネ３８の荷重を変更することができ、クリップ１５に加える力を調節し、クリップ１５のフィルム把持力も調節することができる。
【００２２】
延伸されたＰＶＡフィルム６は、フィルム把持解除位置ＰＢで開放部材２８によりクリップ１５の把持が開放され、テンター出口２２から排出される。
【００２３】
テンター出口２２から排出されたＰＶＡフィルム６は、斜め延伸によって延伸軸が傾いており、偏光膜として最適なものとなる。この偏光膜にＴＡＣフィルムを貼り合わせることにより、偏光板が製造される。斜め延伸としては、４５°延伸が好ましい。
【００２４】
なお、上記実施形態では、クリップクローザ３５をレール屈曲位置ＰＣ、ＰＤに２個配置したが、これに限定されることなく、フィルム把持位置ＰＡからフィルム把持解除位置ＰＢの範囲内であれば、配置位置及びその個数は適宜変更してもよい。延伸後またはＰＶＡフィルム６に延伸する力が大きく変わる位置の前後、すなわち、延伸工程の前後にクリップクローザ３５を配置することが好ましい。さらに、フィルム内部起因の張力変化する位置の前後、例えば、熱処理によるフィルム収縮力が発生し易い部位にクリップクローザ３５を配置することも効果的である。特に、熱処理部４ｃの前に配置することが好ましく、熱処理温度が大きく変化する部位に配置することがさらに好ましい。ここで大きく熱処理温度が変化するとは、５℃以上を示す。
【００２５】
また、上記実施形態では、自重落下方式のクリップを用いたが、この他に、バネ付勢により開閉するクリップや、その他の各種駆動手段を有するクリップを用いてもよい。
【００２６】
図６に他の実施形態を示す。上記実施形態のものと同様の構成部材には同一の符号を付し、その詳細な説明を省略する。この実施形態では、テンター装置４は、多段延伸として２段階にＰＶＡフィルム６を延伸する。そのため、右レール４３、左レール４４には、２段階にＰＶＡフィルム６を延伸するように、第１延伸エリア４３ａ、４４ａ、第２延伸エリア４３ｂ、４４ｂが設けられている。ＰＶＡフィルム６を延伸すると、ＰＶＡフィルム６が引き延ばされて薄くなり、クリップ１５のフィルム把持力が低下する。そのため、第１延伸エリア４３ａ、４４ａ、第２延伸エリア４３ｂ、４４ｂの延伸終了位置ＰＥ、ＰＦには、それぞれクリップクローザ３５が設けられている。クローザ本体４１は、延伸終了位置ＰＥ、ＰＦでクリップ１５の係合頭部２６ａに接触してこれを閉じる方向に力を加える。これにより、クリップ１５のフィルム把持力が増加され、ＰＶＡフィルム６がクリップ１５から抜けることがない。
【００２７】
なお、上記実施形態では、多段延伸として、図６に示すように２段階延伸を例にとって説明したが、この多段延伸は２段階以上であればよい。３段階以上の延伸の場合にも、各段階の延伸終了位置にクリップクローザ３５を設けることが好ましい。
【００２８】
テンター装置４の出口１８でＰＶＡフィルム６の左右に進行速度差があると、出口１８におけるシワ、寄りが発生するため、左右のクリップ３５の速度差は、実質的に同速度であることが求められる。速度差は好ましくは１％以下であり、さらに好ましくは０．５％未満であり、最も好ましくは０．０５％未満である。ここで述べる速度とは、毎分当たりに左右各々のクリップ３５が進む軌跡の長さのことである。一般的なテンター装置等では、チェーンを駆動するスプロケットの歯の周期、駆動モータの周波数等に応じ、秒以下のオーダーで発生する速度ムラがあり、しばしば数％のムラを生ずるが、これらは本発明で述べる速度差には該当しない。
【００２９】
本発明を実施したＰＶＡフィルム延伸機２により延伸することによって、ＰＶＡフィルム６は優れた偏光能を有する偏光膜として利用することができる。得られた偏光膜としてのＰＶＡフィルム６の両面又は片面に保護膜（保護フィルム）を接着剤層を介して設けることにより、偏光板が得られる。得られた偏光板は、優れた単板透過率及び偏光度を有する。したがって、液晶表示装置として用いる場合に、画像のコントラストを高めることができ、有利である。
【００３０】
なお、ポリビニルアルコールのケン化度は特に限定されないが、溶解性等の観点から８０〜１００ｍｏｌ％が好ましく、９０〜１００ｍｏｌ％が特に好ましい。またポリビニルアルコールの重合度は特に限定されないが、１０００〜１００００が好ましく、１５００〜５０００が特に好ましい。
【００３１】
延伸前のＰＶＡフィルム６の好ましい弾性率は、ヤング率で表して、０．０１ＭＰａ以上５０００ＭＰａ以下、更に好ましくは０．１ＭＰａ以上５００ＭＰａ以下である。弾性率が低すぎると延伸時・延伸後の収縮率が低くなり、シワが消えにくくなり、また高すぎると延伸時にかかる張力が大きくなり、ＰＶＡフィルム６の両側縁部を保持する部分の強度を高くする必要が生じ、テンター装置４に対する負荷が大きくなる。
【００３２】
延伸前のＰＶＡフィルム６の厚味は特に限定されないが、フィルム把持の安定性、延伸の均質性の観点から、１μｍ〜１ｍｍが好ましく、２０〜２００μｍが特に好ましい。
【００３３】
本発明に用いられる染色剤としては、ヨウ素−ヨウ化カリウムで生成したＩ３−、Ｉ５−等の多ヨウ素イオンおよび／または有機二色性色素である。二色性色素の具体例としては、例えばアゾ系色素、スチルベン系色素、ピラゾロン系色素、トリフェニルメタン系色素、キノリン系色素、オキサジン系色素、チアジン系色素、アントラキノン系色素等の色素系化合物を挙げることができる。水溶性のものが好ましいが、この限りではない。また、これらの二色性分子にスルホン酸基、アミノ基、水酸基などの親水性置換基が導入されていることが好ましい。二色性分子の具体例としては、例えばシー．アイ．ダイレクト．イエロー１２、シー．アイ．ダイレクト．オレンジ３９、シー．アイ．ダイレクト．オレンジ７２、シー．アイ．ダイレクト．レッド３９、シー．アイ．ダイレクト．レッド７９、シー．アイ．ダイレクト．レッド８１、シー．アイ．ダイレクト．レッド８３、シー．アイ．ダイレクト．レッド８９、シー．アイ．ダイレクト．バイオレット４８、シー．アイ．ダイレクト．ブルー　６７、シー．アイ．ダイレクト．ブルー９０、シー．アイ．ダイレクト．グリーン５９、シー．アイ．アシッド．レッド３７等が挙げられ、さらに特開昭６２−７０８０２号、特開平１−１６１２０２号、特開平１−１７２９０６号、特開平１−１７２９０７号、特開平１−１８３６０２号、特開平１−２４８１０５号、特開平１−２６５２０５号、特開平７−２６１０２４号の各公報記載の色素等が挙げられる。これらの二色性分子は遊離酸、あるいはアルカリ金属塩、アンモニウム塩、アミン類の塩として用いられる。これらの二色性分子は２種以上を配合することにより、各種の色相を有する偏光子を製造することができる。偏光板として吸収軸を直交させた時に黒色を呈する化合物（色素）や黒色を呈するように各種の二色性分子を配合したものが単板透過率、偏光度とも優れており好ましい。本発明のＰＶＡフィルム延伸機２により延伸されたフィルムに対しては、特にヨウ素−ヨウ化カリウムで生成したＩ３−、Ｉ５−等の多ヨウ素イオンが好ましく使用される。
【００３４】
ヨウ素−ヨウ化カリウムで生成したＩ３−、Ｉ５−等の多ヨウ素イオンを偏光子として使用する場合、ヨウ素は０．１〜２０ｇ／ｌ、ヨウ化カリウムは１〜２００ｇ／ｌ、ヨウ素とヨウ化カリウムの質量比は１〜２００が好ましい。染色時間は１０〜５０００秒が好ましく、液温度は５〜６０℃が好ましい。
【００３５】
硬膜剤（架橋剤）としては、米国再発行特許第２３２８９７号に記載のものが使用できるが、ホウ酸、ホウ砂が実用的に好ましく用いられる。また、亜鉛、コバルト、ジルコニウム、鉄、ニッケル、マンガン等の金属塩も併せて用いることができる。
【００３６】
また、ＰＶＡフィルム６を延伸する速度は、単位時間当りの延伸倍率で表すと、１．１倍／分以上、好ましくは２倍／分以上で、早いほうが好ましい。また、長手方向の進行速度は、０．１ｍ／分以上、好ましくは１ｍ／分以上で、早いほうが生産性の観点から見て好ましい。いずれの場合も、上限は、延伸するＰＶＡフィルム６及びテンター装置４により異なる。
【００３７】
本発明の光学用ポリマーフィルム延伸機２において、ＰＶＡフィルム６の両側縁をクリップ３５により把持する際、把持しやすいようにＰＶＡフィルム６を張った状態にしておくことが好ましい。具体的には、ＰＶＡフィルム６の長手方向に張力をかけてフィルムを張るなどの方法が挙げられる。
【００３８】
延伸時の環境温度は、２５℃以上９０℃以下が好ましく、さらに好ましい温度範囲は４０℃以上９０℃以下である。
【００３９】
延伸時の湿度に関しては、調湿雰囲気下で延伸することが好ましく、より好ましくは５０％以上１００％以下、さらに好ましくは８０％以上１００％以下である。
【００４０】
本発明の光学用ポリマーフィルム延伸機２で得られた偏光膜には、各種機能膜を保護膜として直接片面または両面に貼合することができる。機能膜の例としては、λ／４板、λ／２板などの位相差膜、光拡散膜、偏光板と反対面に導電層を設けたプラスチックセル、異方性散乱や異方性光学干渉機能等をもつ輝度向上膜、反射板、半透過機能を持つ反射板等があげられる。
【００４１】
保護膜としては、上に述べた好ましい保護膜を一枚、または複数枚積層して用いることができる。偏光膜の両面に同じ保護膜を貼合しても良いし、両面に異なる機能、物性をもつ保護膜をそれぞれ貼合しても良い。また、片面のみに上記保護膜を貼合し、反対面には直接液晶セルを貼合するために、粘着剤層を直接設けて保護膜を貼合しないことも可能である。この場合粘着剤の外側には、剥離可能なセパレータフィルムを設けることが好ましい。
【００４２】
本発明を実施したＰＶＡフィルム延伸機２で延伸を行うＰＶＡフィルム６としては、その膜厚が薄いものが多いが、ハンドリング時のＰＶＡフィルム６の裂け等のトラブルを回避するため、ＰＶＡフィルム６を延伸後、少なくとも片面に保護膜を貼り合わせ、後加熱する工程を有することが好ましい。具体的な貼り付け方法として、熱処理工程中、両端を保持した状態で接着剤を用いてＰＶＡフィルム６に保護膜を貼り付け、その後両端を耳きりする、耳きりの方法としては、刃物などのカッターで切る方法、レーザーを用いる方法など、一般的な技術を用いることができる。貼り合わせ直後に、接着剤を乾燥させるため、および偏光性能を良化させるために、加熱することが好ましい。加熱の条件としては、接着剤により異なるが、水系の場合は、３０℃以上が好ましく、さらに好ましくは４０℃以上１００℃以下、さらに好ましくは５０℃以上８０℃以下である。これらの工程は一貫した製造ラインで行われることが、性能上及び生産性を高くする上で好ましい。なお、上記実施形態ではテンター装置４内でＰＶＡフィルム６に保護膜を貼り付け、その後両端を耳きりしたが、ＰＶＡフィルム６がテンター装置４の出口１８から出た後に保護膜を貼り付け、その後両端を耳きりしてもよい。
【００４３】
【発明の効果】
以上説明したように、本発明によれば、把持具の把持開始位置から把持開放位置までの範囲に設けられ、把持具を閉じる方向に力を加える把持力加勢手段を有するから、把持具によるシート状物の把持力が増加され、延伸中及び延伸後にシート状物が把持具から抜けることがなくなる。また、第１レール及び第２レールを複数の延伸を行う複数の延伸エリアから構成した場合には、把持力加勢手段を複数の延伸エリアの少なくとも１つの延伸エリアに設けたから、シート状物が把持具から抜け落ちることがない。さらに、第１レール及び第２レールを直線部と円弧状に湾曲する屈曲部とから構成した場合には、把持力加勢手段を屈曲部の前後に設けたから、屈曲部でシート状物が把持具から抜け落ちることがない。
【図面の簡単な説明】
【図１】本発明を実施したＰＶＡフィルム延伸機の概略を示す平面図である。
【図２】クリップの把持開始直前の状態を示す側面図である。
【図３】クリップの把持開始直後の状態を示す側面図である。
【図４】クリップの開閉及びクローザ本体による把持力の回復状態を示す斜視図である。
【図５】クリップのクローザ本体による把持力の回復状態を示す側面図である。
【図６】本発明の他の実施形態を示す、ＰＶＡフィルム延伸機の概略平面図である。
【符号の説明】
２　ＰＶＡフィルム延伸機
３　表面処理装置
４　テンター装置
６　ＰＶＡフィルム
１１，１２　レール
１５　クリップ
３５　クリップクローザ
３６　フレーム
３７　リニアブッシュハウジングユニット
３８　バネ
３９　シャフト
４０　ストッパ
４１　クローザ本体
４１ａ　屈曲部
４１ｂ　テーパ部
４３、４４　レール
４３ａ、４４ａ　第１延伸エリア
４３ｂ、４４ｂ　第２延伸エリア
【図１】
2004106422.tif 000003
【図２】
2004106422.tif 000004
【図３】
2004106422.tif 000005
【図４】
2004106422.tif 000006
【図５】
2004106422.tif 000007
【図６】
2004106422.tif 000008